(57)【要約】【課題】センサによって人と物とを適切に区別することができる情報処理装置を提供する。【解決手段】物体までの距離を測定する測距センサ４と、非接触で物体の温度を検知する温度センサ３と、を有する情報処理装置であって、測距センサ４により測定された物体までの距離が所定の距離閾値より小さく、かつ、温度センサ３により検知された物体の温度が所定の温度閾値より大きいときに、物体をＰＣ１のユーザの人体であると判断することを特徴とする。【選択図】図１
2014149761.tif 000002
【特許請求の範囲】
【請求項１】
物体までの距離を測定する測距センサと、非接触で物体の温度を検知する温度センサと、を有する情報処理装置であって、
前記測距センサにより測定された物体までの距離が所定の距離閾値より小さく、かつ、前記温度センサにより検知された物体の温度が所定の温度閾値より大きいときに、前記物体を該情報処理装置のユーザの人体であると判断することを特徴とする情報処理装置。
【請求項２】
該情報処理装置による情報処理結果を画面に表示する表示部を有し、
前記測距センサは、前記画面に対向する物体の距離を測定し、
前記温度センサは、前記画面に対向する物体の温度を検知することを特徴とする請求項１記載の情報処理装置。
【請求項３】
動作制限を設けない通常モードと、一部の動作が制限されて前記通常モードよりも消費電力の小さい省電力モードとで動作可能であり、
前記ユーザの人体と判断される物体が所定時間以上検出されないと、前記通常モードから前記省電力モードに移行することを特徴とする請求項１ないし２記載の情報処理装置。
【請求項４】
前記省電力モードで動作中に、前記ユーザの人体と判断される物体が検出されると前記通常モードに移行する請求項３記載の情報処理装置。
【発明の詳細な説明】
【技術分野】
【０００１】
本発明は、人物を検出可能なセンサを有する情報処理装置に関する。
【背景技術】
【０００２】
従来から、パーソナルコンピュータ（ＰＣ）でユーザが使用していない場合に、無駄な電力消費を無くすため、一部の動作を制限することにより消費電力を小さくした省電力モードに移行する技術が知られている。ユーザの在席と離席をセンサで判断し、ユーザが離席している時、一定時間入力がないとまず画面オフとなり、さらに一定時間入力がないとサスペンド状態となる。
【０００３】
この現状の省電力機能では、ＯＳがユーザの入力操作を監視し、入力操作状態に応じて省電力モード（画面オフ、サスペンド状態）への移行、動作制限を設けない標準モード（画面オン）への復帰を行う。また、省電力モードへの移行時間を設定し、設定時間の間ユーザの入力操作がなかったとき省電力モードに移行し、ユーザの入力操作を検出した時点で標準モードに復帰する。
【０００４】
ところが、ユーザにとっては入力操作を行っていなくても作業中である場合（表示されている内容の読み込み、入力しようとする内容の考案等）があり、入力操作の有無のみをトリガとして省電力モードへの移行を行うことは、ユーザの操作状況の実態にそぐわない。また、省電力モードから通常モードへの復帰するための入力操作が必要でユーザによっては面倒な場合もある。
【０００５】
これに対して、最近では、ユーザの接近を検出するセンサ（例えば、赤外線センサや超音波センサ等）を搭載したモニタ等の電子機器が登場してきている。このような電子機器では、センサの検出結果に応じて、ユーザが機器の近くにいない（離席している）ときは省電力モードに移行し、ユーザが機器の近くにいる（在席している）ときは標準モードに復帰する。
【０００６】
また、このモード切り替えによれば、入力中のみならず入力中でない場合も含めたユーザの端末操作（作業中）のみ標準モードとし、それ以外は省電力モードとすることもでき、また、標準モードへの復帰に入力操作が不要となる。使用されるセンサは赤外線センサや超音波センサ等であり、赤外線センサは赤外線を発光するＬＥＤ（レーザ発光ダイオード）と、反射光を受光するセンサとで構成される。
【０００７】
一方、非接触温度センサで人と接触することなく、人の体温を測ることにより、人の存在を認識する技術が知られている。
【０００８】
特許文献１には、体温によって遊技客が遊技席に着席したことを検知する接触式の温度センサと、赤外線などによって遊技客が遊技席に着席したことを検知する人体感知センサとが備えられた遊技システムが開示されている。
【先行技術文献】
【特許文献】
【０００９】
【特許文献１】特開２００６−２９６５６１号公報
【発明の概要】
【発明が解決しようとする課題】
【００１０】
しかし、ユーザが離席した場合に、測距センサだけではユーザと椅子の区別がつかないという問題があった。
【００１１】
また、ペットボトルが測距センサの前に置かれている状態で、ユーザが離席した場合、ユーザとペットボトルの区別がつかない。さらに、ユーザが離席し、画面がＯＦＦになった後に、測距センサが物（ペットボトル）を検知した場合、画面がＯＮになってしまうという問題があった。
【００１２】
一方、非接触の温度センサだけでは温度センサの検知範囲が広く、温度センサから１ｍ離れていても２ｍ離れていても、データに大きな差が無く、人が遠くにいても検知してしまい、在席と離席の区別がつかないという問題があった。
【００１３】
また、特許文献１に開示されている技術では、非接触の温度センサではなく、人と物の区別をすることができないという問題は解決できていない。
【００１４】
本発明は、前記課題を解決するためのものであり、その目的とするところは、センサによって人と物とを適切に区別することができる情報処理装置を提供することにある。
【課題を解決するための手段】
【００１５】
かかる目的を達成するために、本発明は、以下の特徴を有する。
【００１６】
本発明に係る情報処理装置は、物体までの距離を測定する測距センサと、非接触で物体の温度を検知する温度センサと、を有する情報処理装置であって、前記測距センサにより測定された物体までの距離が所定の距離閾値より小さく、かつ、前記温度センサにより検知された物体の温度が所定の温度閾値より大きいときに、前記物体を該情報処理装置のユーザの人体であると判断することを特徴とする。
【発明の効果】
【００１７】
本発明によれば、距離を測定できるセンサで人や物との間の距離を測り、非接触温度センサで人と物を区別することができる。
【図面の簡単な説明】
【００１８】
【図１】本実施形態に係るＰＣの外観を示す正面図である。
【図２】本実施形態に係る温度センサを示す斜視図である。
【図３】ユーザが離席したことを示す図である。
【図４】ユーザが離席中の状態を示す図である。
【図５】温度センサの距離に応じたデータ測定結果を示す図である。
【発明を実施するための形態】
【００１９】
以下、本実施形態について図面により詳細に説明する。
【００２０】
図１は、本実施形態に係るＰＣの外観を示す正面図である。本実施形態のＰＣ１は、ディスプレイ部と本体部とが一体になったデスクトップ型のＰＣである。ＰＣ１による情報処理結果を画面に表示する表示画面２の下部における電源ボタン等の配置領域に、ユーザの存在を検出するための温度センサ３と測距センサ４が設けられている。
【００２１】
なお、本実施形態ではデスクトップ型のＰＣとしたが、ノート型のＰＣ等であっても良い。また、温度センサ３と測距センサ４は、表示画面２の上部に設置しても良い。
【００２２】
図２は、本実施形態に係る温度センサ３を示す斜視図である。温度センサ３は電子基板１１に温度センサ素子１２が取り付けられる。温度センサ素子１２は検出対象エリア１３に存在する物体の温度を検出し、これによって、人の顔や体などの熱源の温度を測定できる。温度センサ３は、非接触でＰＣ１の表示画面２に対向する対象となる物体の温度を検出する。
【００２３】
測距センサ４は、赤外線を発光する発光部５と対象物に反射した赤外線を受光する受光部６からなる。測距センサ４は、ＰＣ１の表示画面２に対向するユーザや物体までの距離を測ることができ、ユーザの在席と離席を検知することができる。
なお、測距センサ４は赤外線の発光部と受光部とからなるセンサに限定されず、対象物までの距離を検知できるものであれば、超音波センサ等でも良い。
【００２４】
ＰＣ１にはＣＰＵやメモリー等が内蔵されていて、制御部では、測距センサ４により測定された物体までの距離が所定の距離閾値より小さく、かつ、温度センサ３により検知された物体の温度が所定の温度閾値より大きいときに、物体をユーザの人体であると判断する。
【００２５】
ユーザが椅子を離れると温度センサ３と測距センサ４はユーザを認識せず、一定時間が経過するとＰＣ１の画面はオフになり、通常モードから省電力モードになる。測距センサ４が椅子を検知していた場合でも、温度センサ３でユーザと椅子の区別をすることができる。ユーザが椅子に座ると温度センサ３と測距センサ４はユーザを認識し、一定時間が経過するとＰＣの画面はオンになり、省電力モードから標準モードになる。
【００２６】
図３は、ユーザ３１が離席したことを示す図である。ペットボトル３２が測距センサ４の前に置かれている状態で、ユーザ３１が離席した場合、測距センサ４はペットボトル３２を認識しているので、ユーザ３１とペットボトル３２の区別がつかない。
【００２７】
しかし、温度センサ３はユーザ３１を認識しないので、ペットボトル３２はユーザ３１ではないと判断することができる。一定時間が経過するとＰＣの画面がオフになり、省電力モードになる。
【００２８】
図４は、ユーザ４１が離席中の状態を示す図である。ユーザ４１がペットボトル４２を置いた状態で離席し、ＰＣ１の画面はオフになった後に、測距センサ４がペットボトル４２を検知した場合、温度センサはユーザを認識していないので、ＰＣ１の画面はオフのままにできる。
【００２９】
図５は、温度センサの距離に応じたデータ測定結果を示す図である。温度センサをディスプレイ部の上部に設置した場合、温度センサをディスプレイ部の上部に設置し、角度調整をした場合、温度センサを机上（ＰＣ左側）に配置した場合の３つの条件で測定した。温度センサからユーザまでの距離は５０ｃｍから２００ｃｍである。離席時に温度センサが測定した最大温度は、２８℃で一定である。
【００３０】
温度センサをディスプレイ部の上部に設置した場合と、温度センサをモニタ上部に設置し、角度調整をした場合は、センサからユーザまでの距離が離れるにつれて、センサ値の最大温度が下がる。温度センサを机上（ＰＣ左側）に配置した場合、センサからユーザまでの距離が５０ｃｍから１００ｃｍまでは、センサ値の最大温度が上がり、センサからユーザまでの距離が５０ｃｍから１００ｃｍまでは、センサ値の最大温度が上がり、センサからユーザまでの距離が１００ｃｍから２００ｃｍまでは、センサ値の最大温度が下がる。
【００３１】
温度センサからユーザまでの距離１００ｃｍから１５０ｃｍでは、３つの条件で測定したデータ差が小さい。
【符号の説明】
【００３２】
１    ＰＣ
２    表示画面
３    温度センサ
４    測距センサ
１１    電子基板
１２    温度センサ素子
１３    検出エリア
３１    ユーザ
【図１】
2014149761.tif 000003
【図２】
2014149761.tif 000004
【図３】
2014149761.tif 000005
【図４】
2014149761.tif 000006
【図５】
2014149761.tif 000007